(57)【要約】【課題】屋内配線に関する設計データを早期に完成すること。【解決手段】配線設計システム１は、クライアント端末１０と設計サーバ２０とを備えている。クライアント端末１０は、入力画面Ｄを介して、間取り図の画像データの入力と、その間取り図に対する電気設備の設置位置を示す設備データの入力とを受け付ける入力受付部１１と、受け付けられた画像データ及び設備データを含む依頼データを設計サーバ２０に送信する通信部１２とを備えている。設計サーバ２０は、その依頼データを受信する通信部２１と、受信された依頼データに基づいて、設備データで示される電気設備の配線を決定する設計部２２と、決定された配線を示す配線データと、受信された依頼データとを含む設計データを記憶する記憶部２５とを備えている。【選択図】図２
2010272051.tif 000002
【特許請求の範囲】
【請求項１】
ユーザが利用する第１のコンピュータと、ネットワークを介して該第１のコンピュータと通信可能な第２のコンピュータとを備える配線設計システムであって、
前記第１のコンピュータが、
入力画面を介して、間取り図の画像データの入力と、該間取り図に対する電気設備の設置位置を示す設備データの入力とを受け付ける受付手段と、
前記受付手段により受け付けられた画像データ及び設備データを含む依頼データを前記第２のコンピュータに送信する送信手段と、
を備え、
前記第２のコンピュータが、
前記送信手段により送信された依頼データを受信する受信手段と、
前記受信手段により受信された依頼データに基づいて、前記設備データで示される電気設備の配線を決定する決定手段と、
前記決定手段により決定された配線を示す配線データと、前記受信手段により受信された依頼データとを含む設計データを記憶する記憶手段と、
を備える、
ことを特徴とする配線設計システム。
【請求項２】
前記受付手段が、前記記憶手段に記憶されている設計データを取得し、該設計データに含まれる設備データの編集を受け付け、
前記送信手段が、前記受付手段により設備データが編集された設計データを前記依頼データとして送信する、
ことを特徴とする請求項１に記載の配線設計システム。
【請求項３】
前記入力画面が、ウェブブラウザ上に実装されたウェブアプリケーションである、請求項１又は２に記載の配線設計システム。
【請求項４】
ユーザが利用する第１のコンピュータと、ネットワークを介して該第１のコンピュータと通信可能な第２のコンピュータとを備える配線設計システム、により実行される配線設計方法であって、
前記第１のコンピュータが、入力画面を介して、間取り図の画像データの入力と、該間取り図に対する電気設備の設置位置を示す設備データの入力とを受け付ける受付ステップと、
前記第１のコンピュータが、前記受付ステップにおいて受け付けられた画像データ及び設備データを含む依頼データを前記第２のコンピュータに送信する送信ステップと、
前記第２のコンピュータが、前記送信ステップにおいて送信された依頼データを受信する受信ステップと、
前記第２のコンピュータが、前記受信ステップにおいて受信された依頼データに基づいて、前記設備データで示される電気設備の配線を決定する決定ステップと、
前記第２のコンピュータが、前記決定ステップにおいて決定された配線を示す配線データと、前記受信ステップにおいて受信された依頼データとを含む設計データを記憶手段に記憶する記憶ステップと、
を含むことを特徴とする配線設計方法。
【請求項５】
前記第１のコンピュータが、前記記憶手段に記憶されている設計データを取得して、該設計データに含まれる設備データの編集を受け付ける編集ステップと、
前記第１のコンピュータが、前記編集ステップにおいて設備データが編集された設計データを前記依頼データとして前記第２のコンピュータに送信する再送ステップと、
を更に含み、
前記受信ステップでは、更に、前記再送ステップにおいて送信された依頼データを受信する、
ことを特徴とする請求項４に記載の配線設計方法。
【発明の詳細な説明】
【技術分野】
【０００１】
本発明は、屋内配線に関する設計データを管理する配線設計システム及び配線設計方法に関する。
【背景技術】
【０００２】
従来から、屋内配線に関する設計データを管理する技術が知られている。例えば下記特許文献１には、複数のユーザコンピュータ間で共有できるように設計データを記憶する機能や、製品を生産する工場にその設計データを送信する機能を備える情報管理システムが記載されている。
【先行技術文献】
【特許文献】
【０００３】
【特許文献１】特開２００４−２７２５６７号公報
【発明の概要】
【発明が解決しようとする課題】
【０００４】
上記特許文献１に記載の情報管理システムの場合も含め、従来、屋内配線の設計データは、工事会社や工務店などの顧客から受け取った図面を基にＣＡＤオペレータにより入力されていた。このような場合には、図面の受渡し及び入力作業に一定以上の時間が費やされるので、その分、設計データの完成に時間が掛かってしまう。
【０００５】
本発明は上記課題を解決するためになされたものであり、屋内配線に関する設計データを早期に完成することが可能な配線設計システム及び配線設計方法を提供することを目的とする。
【課題を解決するための手段】
【０００６】
本発明の配線設計システムは、ユーザが利用する第１のコンピュータと、ネットワークを介して該第１のコンピュータと通信可能な第２のコンピュータとを備える配線設計システムであって、第１のコンピュータが、入力画面を介して、間取り図の画像データの入力と、該間取り図に対する電気設備の設置位置を示す設備データの入力とを受け付ける受付手段と、受付手段により受け付けられた画像データ及び設備データを含む依頼データを第２のコンピュータに送信する送信手段と、を備え、第２のコンピュータが、送信手段により送信された依頼データを受信する受信手段と、受信手段により受信された依頼データに基づいて、設備データで示される電気設備の配線を決定する決定手段と、決定手段により決定された配線を示す配線データと、受信手段により受信された依頼データとを含む設計データを記憶する記憶手段と、を備える、ことを特徴とする。
【０００７】
また、本発明の配線設計方法は、ユーザが利用する第１のコンピュータと、ネットワークを介して該第１のコンピュータと通信可能な第２のコンピュータとを備える配線設計システム、により実行される配線設計方法であって、第１のコンピュータが、入力画面を介して、間取り図の画像データの入力と、該間取り図に対する電気設備の設置位置を示す設備データの入力とを受け付ける受付ステップと、第１のコンピュータが、受付ステップにおいて受け付けられた画像データ及び設備データを含む依頼データを第２のコンピュータに送信する送信ステップと、第２のコンピュータが、送信ステップにおいて送信された依頼データを受信する受信ステップと、第２のコンピュータが、受信ステップにおいて受信された依頼データに基づいて、設備データで示される電気設備の配線を決定する決定ステップと、第２のコンピュータが、決定ステップにおいて決定された配線を示す配線データと、受信ステップにおいて受信された依頼データとを含む設計データを記憶手段に記憶する記憶ステップと、を含むことを特徴とする。
【０００８】
このような配線設計システム及び配線設計方法によれば、第１のコンピュータにおいて間取り図の画像とその図に対する電気設備の設置場所とが入力画面を介して入力され、第２のコンピュータに送信される。続いて、第２のコンピュータにおいて、入力データに基づいて電気設備の配線が決定され、設計データとして記憶される。このように、ユーザにより入力されたデータがネットワークを介して送信され、送信先においてその入力データに基づいて配線が設計されることで、屋内配線に関する設計データを早期に完成することができる。
【０００９】
本発明の配線設計システムでは、受付手段が、記憶手段に記憶されている設計データを取得し、該設計データに含まれる設備データの編集を受け付け、送信手段が、受付手段により設備データが編集された設計データを依頼データとして送信することが好ましい。
【００１０】
また、本発明の配線設計方法では、第１のコンピュータが、記憶手段に記憶されている設計データを取得して、該設計データに含まれる設備データの編集を受け付ける編集ステップと、第１のコンピュータが、編集ステップにおいて設備データが編集された設計データを依頼データとして第２のコンピュータに送信する再送ステップと、を更に含み、受信ステップでは、更に、再送ステップにおいて送信された依頼データを受信することが好ましい。
【００１１】
この場合、生成された設計データが第１のコンピュータにおいて取得され、そのデータに対する編集が受け付けられる。そして、編集後の設計データが依頼データとして第２のコンピュータに送信される。これにより、第２のコンピュータにおいて、編集後の設計データに対して配線が決定されるので、設計変更を早期に実施することができる。
【００１２】
本発明の配線設計システムでは、入力画面が、ウェブブラウザ上に実装されたウェブアプリケーションであることが好ましい。
【００１３】
この場合、入力画面がウェブアプリケーションとしてユーザに提供されるので、第１のコンピュータにその入力画面を容易に実装することができる。
【発明の効果】
【００１４】
このような配線設計システム及び配線設計方法によれば、ユーザにより入力されたデータがネットワークを介して送信され、送信先においてその入力データに基づいて配線が設計されるので、屋内配線に関する設計データを早期に完成することができる。
【図面の簡単な説明】
【００１５】
【図１】実施形態に係る配線設計システムの全体構成を示す図である。
【図２】図１に示す配線設計システムの機能構成を示す図である。
【図３】図１に示すクライアント端末のハードウェア構成を示す図である。
【図４】図２に示す入力受付部が提供する入力画面の例を示す図である。
【図５】図２に示す設計部が生成する設計図面の例を示す図である。
【図６】図１に示す配線設計システムの動作を示すシーケンス図である。
【図７】図１に示す配線設計システムの、設計変更に関する動作を示すシーケンス図である。
【発明を実施するための形態】
【００１６】
以下、添付図面を参照しながら本発明の実施形態を詳細に説明する。なお、図面の説明において同一又は同等の要素には同一の符号を付し、重複する説明を省略する。
【００１７】
まず、図１〜５を用いて、実施形態に係る配線設計システム１の機能及び構成を説明する。
【００１８】
配線設計システム１は、住宅などの建物内に配置された電気設備の屋内配線を自動的に設計するコンピュータシステムである。図１に示すように、配線設計システム１は、工事会社や工務店などの顧客（ユーザ）が利用するクライアント端末（第１のコンピュータ）１０と、屋内配線を設計する会社に設置された設計サーバ（第２のコンピュータ）２０と、その設計に基づいてユニットケーブル（配線ケーブル）を製造する工場に設置された工場端末３０とを備えている。クライアント端末１０及び設計サーバ２０、並びに設計サーバ２０及び工場端末３０は、インターネットなどで構成されるネットワークＮを介して互いに通信することができる。クライアント端末１０と工場端末３０とは通信不可である。図１では、クライアント端末１０及び工場端末３０を一つのみ示しているが、配線設計システム１はそれらの端末を複数備えていてもよい。
【００１９】
まず、クライアント端末１０について説明する。図２に示すように、クライアント端末１０は機能的構成要素として入力受付部（受付手段）１１及び通信部（送信手段）１２を備えている。
【００２０】
このクライアント端末１０は、図３に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力部１０５と、モニタなどの出力部１０６とで構成される。クライアント端末１０の各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００２１】
図２に戻って、入力受付部１１は、ユーザが入力画面を介して入力したデータを受け付ける部分である。
【００２２】
入力受付部１１は図４に示すような入力画面Ｄをモニタ上に表示し、間取り図の画像データと、間取り図に対する電気設備の設置位置を示すシンボル（図記号）と、住所、間取り、面積などの物件情報と、分岐回路の区分け等に必要な設計補助情報の入力を受け付ける。なお、電気設備は、例えばコンセント口、スイッチ、照明器具などである。入力画面Ｄは、ウェブブラウザ上に実装されたウェブアプリケーションであり、間取り図やシンボルなどを表示する表示部Ｄａと、各種編集作業を行うためのボタンＤｂとを含んでいる。この入力画面Ｄは、ユーザ登録された者のみが使用できる。
【００２３】
アプリケーションの起動時にユーザ登録されたＩＤ及びパスワードが要求され、そのＩＤ及びパスワードが入力されると、入力画面Ｄは使用可能となる。ウェブブラウザがあれば、その他の特別なソフトウェアが不要であり、配信やシステムの更新が容易であるというメリットがある。クライアントからのアクセスによりサーバ上で起動する通常のウェブアプリケーションを用いず、起動ソフトをユーザの意識無く自動的にクライアント端末に取り込んで起動させることで、ＣＡＤ操作という複雑な操作をすばやく行うことができる方式とすればより好ましい。
【００２４】
ユーザが間取り図の画像ファイルを開く操作を行うと、表示部Ｄａ上に間取り図Ｍが表示される。このとき、入力受付部１１は読み込まれた画像ファイルのデータを画像データとして保持する。なお、画像データのファイル形式は、例えばＴＩＦ（Tagged Image File）形式、ＢＭＰ（ビットマップ）形式、ＰＤＦ（Portable Document Format）形式、ＤＸＦ（Drawing Interchange File）形式、ＳＸＦ（Scadec data eXchange Format）形式であるが、これらに限定されない。
【００２５】
続いて、ユーザはシンボルＳを間取り図Ｍ上に配置する。このとき、入力受付部１１はそのシンボルＳの識別子、種類、描画位置（座標）などを示す設備データを生成し保持する。例えば、入力受付部１１は、識別子「００１」、種類「コンセント口」及び描画位置「ｘ１，ｙ１」を含む設備データを生成する。
【００２６】
また、ユーザは分岐回路の区分け等に必要な設計補助情報を、例えば間取り図上に描画することで入力する。例えば、ユーザは、図４の画面Ｄにおいて間取り図Ｍ内に一つの分岐回路を配線する範囲を線で区切って区画を設ける。区画が設けられると、電気設備の配線を決定するときに区画を超えた配線は行われない。ただし、スイッチ回路に関して、ある区画内にある負荷（照明や換気扇など）を動作させるスイッチがその区画外にある場合には、区画を跨ぐ配線が行われる。区画が入力されると、入力受付部１１はその区画の識別子や描画位置（座標）などを示す区画データを生成し保持する。更に、ユーザが物件情報を入力したときには、入力受付部１１はその情報を保持する。
【００２７】
ユーザは上記のような入力作業を行うことで、図４に示すような設備配置図Ｋを作成する。そして、ユーザがその設備配置図Ｋを設計サーバ２０に送信するための操作を実行すると、入力受付部１１は保持している画像データ、設備データ、区画データ及び物件情報と、ユーザを識別するユーザＩＤと、設計依頼を識別する依頼ＩＤとを通信部１２に出力する。なお、設備データ、区画データ及び物件情報はＸＭＬ（Extensible Markup Language）形式で出力されるが、データ形式はこれに限定されず、任意の手法を用いてよい。
【００２８】
入力受付部１１は、更に、後述する設計データ及び見積データを設計サーバ２０から取得して設計図面及び見積書を表示し、設計図面の編集を受け付ける機能も備えている。具体的には、入力受付部１１はユーザの入力に基づいてユーザＩＤ及び依頼ＩＤを含む図面要求信号を生成し通信部１２に出力する。そして、その信号に応じて送られてきた設計データ及び見積データを表示部Ｄａに表示する。また、入力受付部１１は、一旦設計サーバ２０に送信された依頼データを取得して、一度作成した設計図面の変更を受け付ける機能も備えている。この場合も、入力受付部１１は上記と同様に図面要求信号を出力する。
【００２９】
表示された設計図面に対して、ユーザはシンボルの位置を追加、変更、削除することが可能である。また、入力受付部１１は屋内配線のシミュレーション機能を提供し、これにより、ユーザは設計図面上のスイッチをクリックすることで、そのスイッチをオン又はオフしたときの電気設備の状態（例えば照明の点灯及び消灯）を把握できる。入力受付部１１は、編集された設計データ又は依頼データを通信部１２に出力する。
【００３０】
入力受付部１１は、更に、設計図面及び見積りの内容に基づいて、屋内配線に関する部材などを発注するための指示を受け付ける機能も備えている。この場合、入力受付部１１はユーザの入力に基づいてユーザＩＤ、依頼ＩＤ、納入日、納入場所などを含む発注情報を生成し、通信部１２に出力する。
【００３１】
通信部１２は、設計サーバ２０との間でデータを送受信する部分である。具体的には、通信部１２は入力受付部１１から入力されたユーザＩＤ、依頼ＩＤ、画像データ、設備データ、区画データ及び物件情報から構成される依頼データを設計サーバ２０に送信する。編集された設計データが入力された場合には、通信部１２はそのデータを依頼データとして設計サーバ２０に送信する。この他に、通信部１２は図面要求信号や発注情報を送信したり、設計データ及び見積データを受信したりする。
【００３２】
次に、設計サーバ２０について説明する。図２に示すように、設計サーバ２０は機能的構成要素として通信部（受信手段）２１、設計部（決定手段）２２、価格データベース２３、見積部２４、記憶部（記憶手段）２５、発注部２６、工場データベース２７、及びデータ管理部２８を備えている。
【００３３】
設計サーバ２０のハードウェア構成は図３に示すものと同様であり、設計サーバ２０の各機能がハードウェア上でどのように実現されるかも、上記クライアント端末１０に関する説明と同様である。ただし、設計サーバは一つのハードウェアでなくてもよく、各機能的構成要素が別々のハードウェアに収められていてそれらのハードウェアが集合的に下記に説明する機能を果たすものであってもよい。例えば、サーバをラックで構成する場合には機能別にハードを分けることがある。
【００３４】
通信部２１は、クライアント端末１０との間でデータを送受信する部分である。具体的には、通信部２１はクライアント端末１０から依頼データを受信しデータ管理部２８に出力する。また、通信部２１は受信した図面要求信号をデータ管理部２８に出力し、これに応じてデータ管理部２８から入力された設計データ及び見積データ、又は依頼データをクライアント端末１０に送信する。更に、通信部２１は受信した発注情報を発注部２６に出力する。
【００３５】
データ管理部２８は、各種データを管理する部分である。通信部２１から依頼データが入力された場合には、データ管理部２８はそのデータを一旦記憶部２５に出力し記憶させる。続いて、データ管理部２８は記憶部２５から依頼データを読み出して設計部２２に出力することで、設計部２２に設計データの生成を指示する。
【００３６】
通信部２１から図面要求信号が入力された場合には、データ管理部２８はその信号に含まれるユーザＩＤ及び依頼ＩＤに対応する設計データ及び見積データを記憶部２５から読み出して通信部２１に出力する。設計データ及び見積データが未だ生成されておらず記憶部２５に存在しない場合には、データ管理部２８はユーザＩＤ及び依頼ＩＤに対応する依頼データを記憶部２５から読み出して通信部２１に出力する。この場合には、修正後の依頼データに基づいて後述する配線データが生成される。
【００３７】
設計部２２は、データ管理部２８から入力された依頼データに基づいて電気設備の配線を決定する部分であり、ＣＡＤ（Computer Aided Design）システムを含んで構成されている。設計部２２は、図面データ、設備データ及び区画データに対して従来の配線決定手法を適用することで各電気設備の配線を決定し、各配線（各ユニットケーブル）について、配線の識別子、位置（座標）、長さなどを含む配線データを生成する。そして、設計部２２は入力された依頼データと生成した配線データとを含んで構成される設計データを生成し、その設計データを見積部２４及び記憶部２５に出力する。具体的には、設計部２２は分岐回路の区分けの作成、設備間の結線処理、区分けの結合又は分割、立上げ点及び引下げ点の決定、ユニットケーブルの配線、分電盤の配置、回路結線計算などを含む一連の処理を実行することで設計データを生成する。
【００３８】
設計部２２は設計データをＤＷＧ（オートデスク社製のＣＡＤソフトウェア、ＡｕｔｏＣＡＤの標準ファイル形式。ＤｒａＷｉｎＧ）、ＤＸＦ（Drawing Interchange File）、ＰＤＦ（Portable Document Format）などのような、ＣＡＤシステムのファイル形式で生成する。または、設計部２２はＸＭＬやＴｉｆｆ等を組み合わせて設計データを生成する。この設計データに基づいて描画することで設計図面（屋内配線図）を得ることができる。例えば図４に示す設備配置図Ｋの依頼データが入力された場合には、設計部２２は図５の設計図面を示す設計データを生成する。図５において符号Ｌで示されているものが配線である。
【００３９】
編集された設計データが依頼データとして入力された場合には、設計部２２はそのデータに対して上記処理を実行することで、配線データを更新する（設計変更）。
【００４０】
価格データベース２３は、屋内配線の工事費用に算出に用いるデータを記憶する部分である。具体的には、価格データベース２３は、電気設備及びユニットケーブルの種類とその単価とを含む商品データなどを予め記憶している。
【００４１】
見積部２４は、設計部２２から入力された設計データに基づいて電気設備の配線の見積りを作成する部分である。見積部２４は設計データに含まれる各電気設備及び各ユニットケーブルに対応する商品データを読み出し、設備データ、配線データ及び商品データに基づいて、屋内配線に必要な部材の金額などを算出する。そして、見積部２４は算出結果、ユーザＩＤ及び依頼ＩＤを含む見積データを生成し、記憶部２５に出力する。
【００４２】
また、見積部２４は、屋内配線の設計及び見積りが完了したことを示す電子メールを生成し、通信部２１を介してクライアント端末１０のユーザに送信する。これにより、ユーザは設計図面及び見積りが作成されたことを知ることができる。
【００４３】
見積部２４は、編集された設計データに対しても上記と同様の処理を実行する（再見積り）。
【００４４】
記憶部２５は、データ管理部２８から入力された依頼データと、設計部２２から入力された設計データと、見積部２４から入力された見積データとを記憶する部分である。
【００４５】
発注部２６は、通信部２１から入力された発注情報に基づいて発注処理を実行する部分である。発注部２６は、発注情報に含まれるユーザＩＤ及び依頼ＩＤに対応する設計データを記憶部２５から抽出する。続いて、発注部２６は、各工場の生産能力及び稼動状況を記憶している工場データベース２７からデータを読み出し、そのデータに基づいて、設計データに基づく製品の製造をどの工場に依頼するかを決定する。この決定方法は任意であるが、例えば発注部２６は、最も稼働率が低い工場を選択してもよいし、ユーザに最も近い場所に位置している工場を選択してもよい。続いて、発注部２６は選択した工場の工場端末３０に設計データ及び発注情報を送信する。
【００４６】
次に、図６，７を用いて、図１に示す配線設計システム１の動作を説明するとともに本実施形態に係る配線設計方法について説明する。
【００４７】
まず、図６を用いて、設計変更を含まない基本的な動作手順を説明する。クライアント端末１０において、入力受付部１１が画像データ、設備データ、区画データ及び物件情報の入力を受け付ける（ステップＳ１１、受付ステップ）。続いて、通信部１２がそれらのデータを依頼データとして設計サーバ２０に送信する（ステップＳ１２、送信ステップ）。
【００４８】
設計サーバ２０では、通信部２１がその依頼データを受信する（ステップＳ１３、受信ステップ）。続いて、設計部２２がそのデータに基づいて各電気設備の配線を決定し、設計データを生成する（ステップＳ１４、決定ステップ）。この設計データは記憶部２５に記憶される（ステップＳ１５、記憶ステップ）。続いて、見積部２４がその設計データに基づいて見積データを生成する（ステップＳ１６）。この見積データも記憶部２５に記憶される（ステップＳ１７）。
【００４９】
その後設計が確定すると、クライアント端末１０のユーザは発注情報を入力する。このとき、入力受付部１１がその発注情報を受け付け、通信部１２がその情報を設計サーバ２０に送信する（ステップＳ１８）。設計サーバ２０では、発注部２６が製品を製造する工場を決定し（ステップＳ１９）、発注情報及び設計データを選択した工場の工場端末３０に送信する（ステップＳ２０）。その後、選択された工場において屋内配線に関する製品（例えばユニットケーブル）が製造され、ユーザに納品される。
【００５０】
次に、図７を用いて、設計変更に関する動作手順を説明する。図７におけるステップＳ３１〜Ｓ３５の処理は、上記ステップＳ１１〜Ｓ１７の処理と同様である。その後、クライアント端末１０のユーザが設計変更を開始するための操作を行うと、入力受付部１１が図面要求信号を生成し通信部１２がその信号を設計サーバ２０に送信する（ステップＳ３６）。設計サーバ２０では、データ管理部２８がその信号に対応する設計データ及び見積データ、又は依頼データを記憶部２５から読み出し（ステップＳ３７）、通信部２１がそのデータをクライアント端末１０に送信する（ステップＳ３８）。
【００５１】
クライアント端末１０では、入力受付部１１が受信データに対する編集を受け付ける（ステップＳ３９、編集ステップ）。続いて、通信部１２が編集されたデータを依頼データとして設計サーバ２０に送信する（ステップＳ４０、再送ステップ）。その後設計サーバ２０で実行されるステップＳ４１〜Ｓ４３の処理は、上記ステップＳ３３〜Ｓ３５の処理と同様である。図７では、ステップ３６が、見積データを生成し記憶するステップ３５の後である場合を示したが、ステップ３６の処理が、まだ設計データが生成されていない時点、すなわちステップ３４の前で実行されることもある。その場合、ステップ３８で送信されるデータは依頼データとなる。
【００５２】
上記ステップＳ３６〜Ｓ４３の処理は、クライアント端末１０のユーザが設計変更を行う度に繰り返し実行される。そして設計が確定すると、ユーザの発注指示の入力に基づいて、図６に示すステップＳ１８〜Ｓ２０の処理が実行される。
【００５３】
以上説明したように、本実施形態によれば、クライアント端末１０において間取り図の画像とその図に対する電気設備の設置場所とが入力画面を介して入力され、依頼データとして設計サーバ２０に送信される。続いて、設計サーバ２０において、依頼データに基づいて電気設備の配線が決定され、設計データとして記憶される。これにより、従来のように、ユーザが設計会社に図面を渡して配線の設計を依頼し、設計会社が配線だけでなく間取り図や電気設備の配置を改めて入力する場合と比べて、屋内配線に関する設計データを早期に完成することができる。
【００５４】
また、本実施形態によれば、生成された設計データがクライアント端末１０において取得され、そのデータに対する編集が受け付けられる。そして、編集後の設計データが依頼データとして設計サーバ２０に送信される。これにより、設計サーバ２０において、編集後の設計データに対して配線が決定されるので、設計変更を早期に実施することができる。
【００５５】
また、本実施形態によれば、入力画面Ｄがウェブアプリケーションとしてユーザに提供されるので、ユーザに特別なインストール作業を要求することなく、自動ダウンロードによりクライアント端末１０にその入力画面を容易に実装することができる。
【００５６】
以上、本発明をその実施形態に基づいて詳細に説明した。しかし、本発明は上記実施形態に限定されるものではない。本発明は、その要旨を逸脱しない範囲で以下のような様々な変形が可能である。
【００５７】
上記実施形態では入力画面をウェブアプリケーションで実現したが、Ｊａｖａ（登録商標）アプリケーションなどの他の手法により、クライアント端末１０に入力画面を実装してもよい。
【符号の説明】
【００５８】
１…配線設計システム、１０…クライアント端末（第１のコンピュータ）、１１…入力受付部（受付手段）、１２…通信部（送信手段）、２０…設計サーバ（第２のコンピュータ）、２１…通信部（受信手段）、２２…設計部（決定手段）、２３…価格データベース、２４…見積部、２５…記憶部（記憶手段）、２６…発注部、２７…工場データベース、２８…データ管理部、３０…工場端末、Ｄ…入力画面、Ｎ…ネットワーク。
【図１】
2010272051.tif 000003
【図２】
2010272051.tif 000004
【図３】
2010272051.tif 000005
【図４】
2010272051.tif 000006
【図５】
2010272051.tif 000007
【図６】
2010272051.tif 000008
【図７】
2010272051.tif 000009